(57)【要約】【課題】作業効率を向上し、施工性を高める。【解決手段】スプライスモジュール２０を、光ファイバケーブルの収納空間３４が確保されるように、略長方形の底面板２１と、底面板２１の全周端から突設された所定高さの側壁板２２とによって、上面が開口した浅底の略長方形トレイ状に形成し、棚板１３に対して予め規定した格納位置Ｐと作業位置Ｑとの間を水平に回転自在とする回転手段３０を介して、棚板１３に取り付ける。回転手段３０を、スプライスモジュール２０が格納位置Ｐに配置された状態において、スプライスモジュール２０の左側手前に規定した回転軸位置Ｒに軸線を合わせて設け、回転軸位置Ｒに対してスプライスモジュール２０側に設けた回転軸穴３１に棚板１３側に設けた回転軸体３２を挿入して構成する。【選択図】図２
2008076652.tif 000002
【特許請求の範囲】
【請求項１】
光ファイバケーブルの収納空間を底面板と側壁板とによって上面が開口したトレイ状に形成してなるスプライスモジュールを、鉛直方向に沿って複数配置した棚板に取り付けるスプライスモジュールの取付構造であって、
スプライスモジュールを、棚板に対して規定した格納位置から作業位置へ、底面板の端部に規定した回転軸位置周りに、水平に回転自在とする回転手段を介して、棚板に取り付ける、
ことを特徴とするスプライスモジュールの取付構造。
【請求項２】
回転手段は、
スプライスモジュールの側壁板から外側へ突設した突設片に穿設した回転軸穴に、棚板の回転軸位置から突設した回転軸体を挿入してなる、
請求項１に記載のスプライスモジュールの取付構造。
【請求項３】
スプライスモジュールは、
収納空間を複数の分割空間に分割してなり、
それぞれの分割空間に対応する分割モジュールを分割底面板と分割側壁板とによって個々独立して区画形成し、隣接する分割モジュール同士を結合手段によって着脱可能に結合してなる、
請求項１または２に記載のスプライスモジュールの取付構造。
【請求項４】
回転手段は、
分割モジュールの分割側壁板から外側へ突設した突設片に穿設した回転軸穴に、棚板の回転軸体を挿入してなる、
請求項３に記載のスプライスモジュールの取付構造。
【請求項５】
結合手段は、
一方の分割モジュールの回転軸穴に、他方の分割モジュールの分割底面板から突設した結合軸体を挿入してなる、
請求項４のスプライスモジュールの取付構造。
【発明の詳細な説明】
【技術分野】
【０００１】
本発明は、一次側および二次側等の光ファイバケーブルを収納するスプライスモジュールを棚板に取り付けるスプライスモジュールの取付構造に関する。
【背景技術】
【０００２】
従来、スプライスモジュールは、特許文献１に示すように、光ファイバを融着接続するユニットとアダプタを接続するユニットとが一体になって構成されていた。また成端ユニットには前後方向へスライド移動可能とするレール部材に支持され、手前に引き出して作業を行っていた。
【０００３】
【特許文献１】特開２００２−５５２３８号公報
【発明の開示】
【発明が解決しようとする課題】
【０００４】
しかし、この技術では、それぞれのユニットで行う個々の作業をそれぞれ単独で行えず、施工性が低い点で問題があった。また、ユニット全体を手前に引き出す構造上、別に用意した作業台等に置いて作業しなければならず、配線接続作業とは関係ない段取作業が発生し易くなり、作業効率が良いとは言えない点で問題があった。
【０００５】
そこで、本発明では上記課題を鑑み、施工性を高め、作業効率を向上できるスプライスモジュールの取付構造の提供を課題とする。
【課題を解決するための手段】
【０００６】
上記課題を解決するため、請求項１の発明に係るスプライスモジュールの取付構造は、光ファイバケーブルの収納空間を底面板と側壁板とによって上面が開口したトレイ状に形成してなるスプライスモジュールを、鉛直方向に沿って複数配置した棚板に取り付けるスプライスモジュールの取付構造であって、スプライスモジュールを、棚板に対して規定した格納位置から作業位置へ、底面板の端部に規定した回転軸位置周りに、水平に回転自在とする回転手段を介して棚板に取り付けるように構成される。
【０００７】
請求項２の発明に係るスプライスモジュールの取付構造は、回転手段が、スプライスモジュールの側壁板から外側へ突設した突設片に穿設した回転軸穴に、棚板の回転軸位置から突設した回転軸体を挿入してなるように構成される。
【０００８】
請求項３の発明に係るスプライスモジュールの取付構造は、スプライスモジュールが、収納空間を複数の分割空間に分割してなり、それぞれの分割空間に対応する分割モジュールを分割底面板と分割側壁板とによって個々独立して区画形成し、隣接する分割モジュール同士を結合手段によって着脱可能に結合してなるように構成される。
【０００９】
請求項４の発明に係るスプライスモジュールの取付構造は、回転手段が、分割モジュールの分割側壁板から外側へ突設した突設片に穿設した回転軸穴に、棚板の回転軸体を挿入してなるように構成される。
【００１０】
請求項５の発明に係るスプライスモジュールの取付構造は、結合手段が、一方の分割モジュールの回転軸穴に、他方の分割モジュールの分割底面板から突設した結合軸体を挿入してなるように構成される。
【発明の効果】
【００１１】
請求項１の発明によれば、格納位置において積み重ねた状態で収納密度を高めながら、作業位置まで引き出すことによって、光ファイバケーブルの収納空間を作業者の手前で表出させた状態で光ファイバケーブル相互の融着やアダプタへの連結等の接続作業、及び引き回しや結束等の収納作業ができ、またこれらの作業終了後には簡単に格納位置に格納でき、よって作業効率を向上できる。
【００１２】
請求項２、４の発明によれば、収納空間全体を棚板の手前に表出させるように、突設片の突設長さと回転軸穴の穿設位置を設定することができ、より作業効率を高めることができる。
【００１３】
請求項３の発明によれば、スプライスモジュール毎に接続作業や収納作業を所定の分割モジュールにまとめて、同一の開口面側から行うことができ、施工性を高めることができる。また分割モジュールを棚板から外して、個々に各接続作業に都合の良い他の作業場所等で、段取り作業を行うことができる。
【００１４】
請求項５の発明によれば、回転手段と結合手段とを同じ回転軸穴によって構成でき、部品の共通化が可能となる。
【発明を実施するための最良の形態】
【００１５】
以下、本発明を具体化した実施の形態を、図面に基づいて詳細に説明する。図１は本発明に係るスプライスモジュールの取付構造を示し、（ａ）はＡ−Ａ端面図、（ｂ）は正面図、（ｃ）はＢ−Ｂ端面図である。図２はスプライスモジュールを示し、（ａ）は格納位置Ｐにおける格納状態図、（ｂ）は作業位置Ｑにおける作業状態図である。図３はスプライスモジュールの配線レイアウト図である。
【００１６】
図１に示すように、スプライスボックス１は、正面側が開口した縦長箱形状のボックス本体１１と、ボックス本体１１の開口面を開閉自在に設けられた扉（図示略）と、収納対象としての光ファイバケーブルを個別に収納する１０基のスプライスモジュール２０，２０・・をボックス本体１１内の所定位置に配置する成端架１２と、を備えて構成されている。
【００１７】
図２、３に示すように、個々のスプライスモジュール２０は、光ファイバケーブルの収納空間３４が確保されるように、略長方形の底面板２１と、底面板２１の全周端から突設された所定高さの側壁板２２とによって、上面が開口した浅底の略長方形トレイ状に形成されている。
【００１８】
成端架１２には、１０枚のスプライスモジュール２０，２０・・のそれぞれを、底面板２１の下側から個々に支持する１０枚の棚板１３，１３・・が設けられている。棚板１３，１３・・は、スプライスモジュール２０，２０・・をトレイ開口面を上にして水平状態を維持しながら鉛直方向に沿って等間隔に積み重なるように取り付け可能に、１０段の棚状に配置されている。
【００１９】
スプライスモジュール２０は、棚板１３に対して予め規定した格納位置Ｐから作業位置Ｑへ、底面板の端部にに規定した回転軸位置周りに水平に回転自在とする回転手段３０を介して、棚板１３に取り付けられている。格納位置Ｐは、スプライスモジュール２０の側壁板２２の長手側が、ボックス本体１１の背面に対して平行に配置され、スプライスモジュール２０全体が棚板１３内に収納される位置に規定されている。
【００２０】
回転手段３０は、スプライスモジュール２０が格納位置Ｐに配置された状態において、スプライスモジュール２０の左側手前に規定された回転軸位置Ｒに軸線を合わせて設けられている。また回転手段３０は、回転軸位置Ｒに対してスプライスモジュール２０側に設けた回転軸穴３１に、棚板１３側に設けた回転軸体３２を挿入して構成されている。回転軸穴３１は、回転軸位置Ｒに対応する側壁板２２の左面側から外側へ突設された短尺の突設片２３に穿設されている。回転軸体３２は、棚板１３の回転軸位置Ｒに対応する位置から突設されている。
【００２１】
作業位置Ｑは、格納位置Ｐから、スプライスモジュール２０を回転手段３０によって回転軸位置Ｒ周りに手前へ水平に略９０度回転移動させることで、スプライスモジュール２０の側壁板２２の短手側が、ボックス本体１１の背面に対して平行に配置され、スプライスモジュール２０の収納空間３４が棚板１３外で表出する位置に規定されている。
【００２２】
また、光ファイバケーブルの収納空間３４は、短手側に沿って左右に２分割されるように規定されている。分割された収納空間３４のうち回転軸位置Ｒに近い側（左側）は、一次側から引き込んだ光ファイバケーブルとしての一次側ケーブルＦ１に対して、内部で引き回すために予め用意した光ファイバケーブルとしての内部ケーブルＦ３を融着する融着接続空間３５として使用される。また分割された収納空間３４のうち遠い側（右側）は、二次側へ引き出す光ファイバケーブルとしての二次側ケーブルＦ２に対して、対応する内部ケーブルＦ３にアダプタ接続するアダプタ接続空間３６として使用される。
【００２３】
融着接続空間３５には、一次側ケーブルＦ１の引き込み側端部と内部ケーブルＦ３の融着側端部とを融着接続するスリーブ４０を所定位置に配置するために、スリーブガイド４１が設けられている。スリーブガイド４１は、スリーブ４０の両側を挟持して着脱自在に固定するように底面板２１から突設されている。さらに融着接続空間３５には、一次側ケーブルＦ１および内部ケーブルＦ３の余長を所定の曲げ半径で所定の方向へ引き回すための引き回しガイド４２が、底面板２１から突設されている。
【００２４】
アダプタ接続空間３６には、内部ケーブルＦ３の他端に予め結線処理して設けたコネクタ５３と二次側ケーブルＦ２のコネクタ５４とを連結するアダプタ５０を所定位置に配置するために、アダプタガイド５１が設けられている。アダプタガイド５１は、アダプタ５０の両側を挟持して着脱自在に固定するように底面板２１から突設されている。さらにアダプタ接続空間３６には、二次側ケーブルＦ２および内部ケーブルＦ３の余長を所定の曲げ半径で所定の方向へ引き回すための引き回しガイド５２が、底面板２１から突設されている。
【００２５】
側壁板２２において回転手段３０に隣接した短手側には、一次側ケーブルＦ１を外部から収納空間３４に引き込むための入線部２５と、二次側ケーブルＦ２を収納空間３４から外部へ引き出すための出線部２６とが並べて切り欠き形成されている。ここで、スプライスモジュール２０は、一次側ケーブルＦ１として４芯ファイバを３本、二次側ケーブルＦ２として４テープ芯コードを３本、内部ケーブルＦ３として４テープ芯コードを３本収納可能に構成されている。
【００２６】
また側壁板２２において回転手段３０から離れた他方の短手側には、入線部２５及び出線部２６の予備用入出線部２７が設けられている。予備用入出線部２７は、回転手段３０から離れた他方の短手側から光ファイバケーブルを引き出し或いは引き込む場合に使用される。予備用入出線部２７は、使用の際に、側壁板２２の所定部分に設けた打ち抜き部２８を打ち抜くように取り除くことで形成される。打ち抜き部２８は、底面板２１と側壁板２２との境界線に沿って設けられた横方向のＶ字溝６１と、Ｖ字溝６１の両端から縦方向へ延設された２本のスリット部６２とによって横長の長方形状に設けられている。使用の際に、打ち抜き部２８は、Ｖ字溝６１の薄肉処理された谷部分に沿って折り曲げ、打ち抜くことで取り除かれる。
【００２７】
上記構成のスプライスモジュール２０によれば、格納位置Ｐと作業位置Ｑと間を回転移動させる回転手段３０を設けたので、格納位置Ｐにおいて積み重ねた状態で収納密度を高めながら、作業位置Ｑまで引き出すことによって、光ファイバケーブルの収納空間３４を作業者の手前で表出させた状態で光ファイバケーブル相互の融着やアダプタへの連結等の接続作業、及び引き回しや結束等の収納作業ができ、またこれらの作業終了後には簡単に格納位置Ｐに格納でき、よって作業効率を向上できる。
【００２８】
回転手段３０を、スプライスモジュール２０の側壁板２２から外側へ突設した突設片２３に穿設した回転軸穴３１に、棚板１３の回転軸位置Ｒから突設した回転軸体３２を挿入して構成したので、収納空間３４全体を棚板１３の手前に表出させるように、突設片２３の突設長さと回転軸穴３１の穿設位置を設定することができ、より作業効率を高めることができる。
【００２９】
さらに、上面が開口した光ファイバケーブルの収納空間３４を区画形成し、この収納空間３４を２分割し、融着接続空間３５とアダプタ接続空間３６とを隣接して規定したので、スプライスモジュール２０毎に接続作業や収納作業を同一の開口面側から行うことができ、施工性を高めることができる。また側壁板２２において回転手段３０から離れた他方の短手側に、入線部２５及び出線部２６の予備用入出線部２７を、使用時にのみ打ち抜き部２８を打ち抜くことで形成されるように設けたので、回転手段の反対側で光ファイバケーブルを取り回すことができ、配線レイアウトの自由度を向上できるとともに、未使用時には収納空間と外部との不要な通路を無くすことができ、外部から収納空間へ塵埃等を侵入し難くできる。
【００３０】
また、一次側ケーブルＦ１の入線部２５及び二次側ケーブルＦ２の出線部２６を、回転手段３０に隣接した位置に並べて設けたので、スプライスモジュール２０を作業位置Ｑまで引き出した場合であっても、回転軸位置Ｒ付近の移動距離は僅かであり、引き出し操作に伴うケーブルの余長を確保する必要が無い。
【００３１】
次に、図４は本発明に係るスプライスモジュールの他の実施形態を示し、（ａ）は融着接続モジュールの平面図、（ｂ）はアダプタ接続モジュールの平面図、（ｃ）は融着接続モジュールとアダプタ接続モジュールとの結合状態図である。本スプライスモジュール１２０は、図１のスプライスモジュール２０における融着接続空間３５に対応するように分割底面板１２１ａと分割側壁板１２２ａとによって区画形成してなる融着接続モジュール６５と、同アダプタ接続空間３６に対応するように分割底面板１２１ｂと分割側壁板１２２ｂとによって区画形成してなるアダプタ接続モジュール６６との、個々独立した２つの分割モジュールを備え、両モジュール６５，６６を着脱可能に一体的に結合する結合手段６７，６８を備えて構成されている。
【００３２】
個々のモジュール６５，６６は、スプライスモジュール２０と同様に、それぞれが単独で棚板１３に対して予め規定した格納位置Ｐと作業位置Ｑとの間を水平に回転自在とするそれぞれの回転手段１３０ａ，１３０ｂを介して、棚板１３に取り付け可能に構成されている。回転手段１３０ａ，１３０ｂは、各モジュール６５，６６が格納位置Ｐに配置された状態において、棚板１３の左側手前に規定された回転軸位置Ｒに軸線を合わせて設けられている。
【００３３】
回転手段１３０ａは、回転軸位置Ｒに対してモジュール６５に設けた回転軸穴１３１ａと、回転軸穴１３１ａと挿入するように棚板１３に突設された回転軸体３２とから構成されている。回転軸穴１３１ａは、回転軸位置Ｒに対応するモジュール６５の分割側壁板１２２ａの左面側から外側へ突設された短尺の突設片１２３ａに穿設されている。そして回転手段１３０ｂも、回転手段１３０ａと同様に、分割側壁板１２２ｂの突設片１２３ｂに穿設された回転軸穴１３１ｂと、棚板１３に突設された回転軸体３２とから構成されている。
【００３４】
またモジュール６５の分割側壁板１２２ａには、モジュール６６の突設片１２３ｂを嵌め込むための切り欠き部７１が設けられている。切り欠き部７１は、図４（ｃ）のように、棚板１３に回転手段１３０ａを介してモジュール６５を取り付けた際に、モジュール６５に隣接してモジュール６６が配置される位置に形成されている。この場合、結合手段６７は、一方のモジュール６６の回転軸穴１３１ｂと、切り欠き部７１に突設片１２３ｂを嵌め込んだ状態で、突設片１２３ｂの回転軸穴１３１ｂに結合するように他方のモジュール６５の分割底面板１２１ａに突設された結合軸体７５とから構成される。
【００３５】
同様に、モジュール６６の分割側壁板１２２ｂにも、モジュール６５の突設片１２３ａを嵌め込むための切り欠き部７２が設けられている。切り欠き部７２は、棚板１３に回転手段１３０ｂを介してモジュール６６を取り付けた際に、モジュール６６に隣接してモジュール６５が配置される位置に形成されている。この場合、結合手段６８は、一方のモジュール６５の回転軸穴１３１ａと、切り欠き部７２に突設片１２３ａを嵌め込んだ状態で、突設片１２３ａの回転軸穴１３１ａに結合するように他方のモジュール６６の分割底面板１２１ｂに突設された結合軸体７６とから構成される。
【００３６】
これら結合手段６７、６８によって融着接続モジュール６５とアダプタ接続モジュール６６とを一体的に結合してなるスプライスモジュール１２０は、スプライスモジュール２０と同様に、上面が開口した浅底の長方形トレイ状に区画形成され、融着接続空間３５とアダプタ接続空間３６との境界線に対応する位置に、相互の分割側壁板１２２ａ，１２２ｂが密着して配置される。
【００３７】
スプライスモジュール１２０によれば、収納空間３４を、２つの分割空間として、融着接続空間３５とアダプタ接続空間３６とに分割し、それぞれの分割空間に対応する分割モジュールとして、融着接続モジュール６５とアダプタ接続モジュール６６とを個々独立して区画形成したので、スプライスモジュール毎に融着接続作業及びアダプタ接続作業を所定のモジュールにまとめて、同一の開口面側から行うことができ、施工性を高めることができる。
【００３８】
また隣接する融着接続モジュール６５及びアダプタ接続モジュール６６同士を結合手段６７によって着脱可能に結合してなるように構成したので、融着接続モジュール６５及びアダプタ接続モジュール６６を棚板１３から外して、個々に各接続作業に都合の良い他の作業場所で段取り作業を行うことができる。さらに結合手段６７を、アダプタ接続モジュール６６の回転軸穴１３１ｂと、融着接続モジュール６５の分割底面板１２１ａから突設した結合軸体７５とを結合してなるように構成したので、回転手段１３０ｂと結合手段６７とを同じ回転軸穴１３１ｂによって構成でき、部品の共通化が可能となる。
【００３９】
尚、本発明は上記実施形態に限定されるものではなく、本発明の趣旨を逸脱しない範囲で各部の形状並びに構成を適宜に変更して実施することも可能である。例えば、収納空間は、融着接続空間及びアダプタ接続空間に限らず、光ファイバケーブルの収納に関連する他の作業空間として使用しても良い。また回転手段は、回転軸穴を棚板または底面板に、回転軸体を突設片にそれぞれ設けて構成することも可能である。
【図面の簡単な説明】
【００４０】
【図１】スプライスモジュールを格納したスプライスボックスを示し、（ａ）はＡ−Ａ端面図、（ｂ）は正面図、（ｃ）はＢ−Ｂ端面図である。
【図２】本発明に係るスプライスモジュールの取付構造の一実施形態を示し、（ａ）は格納位置Ｐにおける格納状態図、（ｂ）は作業位置Ｑにおける作業状態図である。
【図３】スプライスモジュールの配線レイアウト図である。
【図４】本発明に係るスプライスモジュールの取付構造の他の実施形態を示し、（ａ）は融着接続モジュールの平面図、（ｂ）はアダプタ接続モジュールの平面図、（ｃ）は融着接続モジュールとアダプタ接続モジュールとの結合状態図である。
【符号の説明】
【００４１】
１・・スプライスボックス、１１・・ボックス本体、１２・・成端架、１３・・棚板、２０，１２０・・スプライスモジュール、３０，１３０ａ，１３０ｂ・・回転手段、２１・・底面板、２２・・側壁板、２３・・突設片、３１・・回転軸穴、３２・・回転軸体、３４・・収納空間、３５・・融着接続空間、３６・・アダプタ接続空間、６５・・分割モジュールとしての融着接続モジュール、６６・・分割モジュールとしてのアダプタ接続モジュール、６７，６８・・結合手段、７５，７６・・結合軸体、Ｆ１・・一次側ケーブル、Ｆ２・・二次側ケーブル、Ｆ３・・内部ケーブル、Ｐ・・格納位置、Ｑ・・作業位置、Ｒ・・回転軸位置。
【図１】
2008076652.tif 000003
【図２】
2008076652.tif 000004
【図３】
2008076652.tif 000005
【図４】
2008076652.tif 000006